(57)【特許請求の範囲】
【請求項１】
モジュール上にソーラーセルまたはエレクトロルミネッセンスと時計用表示板が固定された構造において、
下方に前記モジュールに固定するための複数の突起及び上面外周部に前記時計用表示板を固定するための一対からなる複数個の円柱突部を有する補助リングと、外周部に前記円柱突部に係合固定するための複数の切欠を有する時計用表示板とから構成されており、前記モジュールに前記補助リングの突起を係合固定させ、前記補助リングの円柱突部に前記時計用表示板の切欠を係合固定させたことを特徴とする時計用表示板の固定構造。
【請求項２】
前記補助リングの一対の円柱突部は、その間に隙間を有し、その隙間方向に向かって変形可能であることを特徴とする請求項１記載の時計用表示板の固定構造。
【請求項３】
前記補助リングの一対の円柱突部は、前記時計用表示板固定のための６時側と１２時側の２組と、前記時計用表示板の回転防止及び位置ずれ防止のための３時側と９時側の２組とからなることを特徴とする請求項１記載の時計用表示板の固定構造。
【請求項４】
前記補助リングの６時側と１２時側の一対の円柱突部の幅Ａと前記時計用表示板の切欠の幅Ｂとの関係は、Ａ≧Ｂであることを特徴とする請求項１記載の時計用表示板の固定構造。
【請求項５】
前記補助リングは、ソーラーセルまたはエレクトロルミネッセンスと同色調の色でできていることを特徴とする請求項１記載の時計用表示板の固定構造。
【請求項６】
前記時計用表示板の切欠は、内側から外側に向かって僅かに広がる斜面となっていることを特徴とする請求項１記載の時計用表示板の固定構造。
【請求項７】
前記時計用表示板の切欠は、上面側から下面側に向かって僅かに広がる斜面となっていることを特徴とする請求項１記載の時計用表示板の固定構造。
【発明の詳細な説明】
【０００１】
【発明の属する技術分野】
本発明は、ソーラーセルまたはエレクトロルミネッセンスを使用した時計用表示板の固定構造に関する。
【０００２】
【従来の技術】
モジュール上に工レクトロルミネッセンスを使用した時計用表示板の従来の固定構造を図７に示す。図７（ａ）は従来例の固定構造を示す正面図、図７（ｂ）は図７のＡ−Ａ断面を示す拡大部分断面図である。以下、従来例を図面に基づいて説明する。
【０００３】
モジュール（図示せず）の上面には透明性を有する時計用表示板３とほぼ同周形状から成るエレクトロルミネッセンス１が配設されている。また、補助リング２は、リング状の樹脂成形体であり、その上端に内方に突出したフランジ状の外周部２ｃを有する。そして、前記補助リング２を前記モジュールの外方に配設すると、前記外周部２ｃの下面と前記モジュールの上面との間で、前記エレクトロルミネッセンス１の外縁部分が狭持されることにより、前記モジュール上面に前記エレクトロルミネッセンス１が固定される。
【０００４】
ここで、前記エレクトロルミネッセンス１の上面に位置したところの前記外周部２ｃの上面には、前記外周部２ｃの内側面から外側面に貫いて切欠いた凹部である切欠部２ａが凹設され、該切欠部２ａの略中央にピン状の突起部２ｂが凸設されている。図７（ａ）に示す様に、前記切欠部２ａと突起部２ｂとは、各々３箇所に形成されており、その内２箇所は互いに対向する位置に有り、残りのｌ箇所は、対向する位置より約９０度ずれた位置近傍に有る。
【０００５】
また、前記時計用表示板３の外周部には、外方に向かって突出した突出部３ａが３箇所に形成され、該突出部３ａには、外方に向かって開口し、かつ該突出部３ａの上面から下面に貫通された略Ｕ字型の切欠３ｂが、各々形成されている。このとき、前記突出部３ａ、及び切欠３ｂは、前記補助リング２の切欠部２ａ、及び突起部２ｂと各々整合する位置に有る。この様に、前記突起部２ｂに前記切欠３ｂを係合させることにより、前記補助リング２に前記時計用表示板３を固定する構造となっている。
【０００６】
【発明が解決しようとする課題】
しかしながら従来例における時計用表示板と前記補助リングの固定構造は、補助リングと時計用表示板の形状が複雑となるため、射出成型や、プレス加工等で製造する場合の成形型が複雑となり、その製作がむずかしいという問題があった。また、補助リング、時計用表示板とも、高い寸法精度を必要とするため、製品そのものの加工もむずかしいという問題があった。
【０００７】
一方、時計用表示板の突出部の幅が小さいため、外部衝撃により変形し、時計用表示板の位置ずれを起こすこともあった。そのため、補助リングへの時計用表示板の取り付け、取り外し作業もむずかしかった。また、突起部の幅と切欠の幅との寸法精度を確保することがむずかしいために、時計用表示板の切欠と補助リングの突起部とを係合固定する際に、時計用表示板の位置がでないという問題が発生することもあった。更に、従来例における補助リングと時計用表示板は、互いの寸法誤差を吸収できる構造となっていない。
【０００８】
本発明の目的は、上記の間題点を解決し、補助リング及び時計用表示板の互いの寸法誤差を容易に吸収できる固定構造を提供し、誰でも簡単な作業にて時計用表示板の位置決めが出来、補助リングへの時計用表示板の取り付け、取り外し作業が安易にできる時計用表示板の固定構造を提供するものである。さらに衝撃による時計用表示板の変形を防止し、併せて、補助リング、時計用表示板の加工が容易となる時計用表示板の固定構造を提供するものである。
【０００９】
【課題を解決するための手段】
前述した目的を達成するために、本発明のうちで請求項１の発明に係わる時計用表示板の固定構造は、モジュール上にソーラーセルまたはエレクトロルミネッセンスと時計用表示板が固定された構造において、下方に前記モジュールに固定するための複数の突起及び上面外周部に前記時計用表示板を固定するための一対からなる複数個の円柱突部を有する補助リングと、外周部に前記円柱突部に係合固定するための複数の切欠を有する時計用表示板とから構成されており、前記モジュールに前記補助リングの突起を係合固定させ、前記補助リングの円柱突部に前記時計用表示板の切欠を係合固定させたことを特徴とする。
【００１０】
また、前述した目的を達成するために、本発明のうちで請求項２の発明に係わる時計用表示板の固定構造は、請求項１記載の時計用表示板の固定構造において、前記補助リングの一対の円柱突部は、その間に隙間を有し、その隙間方向に向かって変形可能であることを特徴とする。
【００１１】
また、前述した目的を達成するために、本発明のうちで請求項３の発明に係わる時計用表示板の固定構造は、請求項１記載の時計用表示板の固定構造において、前記補助リングの一対の円柱突部は、前記時計用表示板固定のための６時側と１２時側の２組と、前記時計用表示板の回転防止及び位置ずれ防止のための３時側と９時側の２組とからなることを特徴とする。
【００１２】
また、前述した目的を達成するために、本発明のうちで請求項４の発明に係わる時計用表示板の固定構造は、請求項１記載の時計用表示板の固定構造において、前記補助リングの６時側と１２時側の一対の円柱突部の幅Ａと前記時計用表示板の切欠の幅Ｂとの関係は、Ａ≧Ｂであることを特徴とする。
【００１３】
また、前述した目的を達成するために、本発明のうちで請求項５の発明に係わる時計用表示板の固定構造は、請求項１記載の時計用表示板の固定構造において、前記補助リングは、ソーラーセルまたはエレクトロルミネッセンスと同色調の色でできていることを特徴とする。
【００１４】
また、前述した目的を達成するために、本発明のうちで請求項６の発明に係わる時計用表示板の固定構造は、請求項１記載の時計用表示板の固定構造において、前記時計用表示板の切欠は、内側から外側に向かって僅かに広がる斜面となっていることを特徴とする。
【００１５】
また、前述した目的を達成するために、本発明のうちで請求項７の発明に係わる時計用表示板の固定構造は、請求項１記載の時計用表示板の固定構造において、前記時計用表示板の切欠は、上面側から下面側に向かって僅かに広がる斜面となっていることを特徴とする。
【００１６】
【発明の実施の形態】
（第１の実施形態）
以下、本発明の第１の実施形態を図面に基づいて説明する。図１は本発明の時計用表示板の固定構造を示し、図１（ａ）は、固定構造の平面図、図１（ｂ）は、図１のＢーＢ断面における固定構造の一部を示す部分断面図である。また、図２は図１の係合固定部の部分拡大図で、図２（ａ）は拡大部分平面図、図２（ｂ）は図２のＣーＣ断面を示す拡大部分断面図である。
【００１７】
本実施形態における時計用表示板の固定構造は、モジュール１０上にエレクトロルミネッセンス１１と時計用表示板１３とを補助リング１２によって固定する構造であって、前記補助リング１２は、下面の外周部に突出する前記モジュール１０に固定するための突起である４個のフック１５、及び上端の内方に突出したフランジ状の上面外周部１２ａに前記時計用表示板１３を固定するための２組の一対からなる円柱突部１６ａ、１６ｂを有している。前記時計用表示板１３は、外周部に前記円柱突部１６ａ、１６ｂに係合固定するための２個の切欠１４ａ、１４ｂを有しており、上面に予めエレクトロルミネッセンス１１が配置されているモジュール１０に前記補助リング１２の突起であるフック１５を係合固定させ、前記補助リング１２の円柱突部１６ａ、１６ｂに前記時計用表示板１３の切欠１４ａ、１４ｂを各々係合固定させたことを特徴とする。
【００１８】
前記モジュール１０の上面にはモジュール１０より、やや小さい周形状から成るエレクトロルミネッセンス１１が両面テープ等の両面が粘着性を有する部材で粘着され配設されている。
【００１９】
また、補助リング１２は、前記エレクトロルミネッセンス１１と同調色であるモスグリーンの色調からなるリング状の樹脂成形体である。そして、前記補助リング１２を前記モジュール１０の外方に配設し、前記補助リング１２に形成されている突起である４個のフック１５によって前記補助リング１２と前記モジュール１０とを係合固定するように構成されている。
【００２０】
さらに、補助リング１２の上面１２ｂより、僅かに、低く下方に下がった位置に形成されている前記補助リング１２の上面外周部１２ａの上面には、一対からなるピン状の円柱突部１６ａ、１６ｂが図１に示す様に、各々６時側と１２時側との２箇所に凸設されている。また、図２に示すように前記一対の円柱突部１６ａ、１６ｂは、互いの間に隙間Ｄを有し、樹脂成形体の弾性を利用して、内側（隙間Ｄの方向）に向かって弾性変形可能であるように、各部の寸法が設定されている。
【００２１】
一方、前記時計用表示板１３は、アクリル、ポリカーボネイト等よりなる薄板状の透明体からなり、目盛リ、ペットネーム、数字、模様等の仕様が印刷、塗装等により施されている。前記時計用表示板１３の外周部には、外方に向かって開口し、かつ前記時計用表示板１３の上面から下面に貫通された切欠１４ａ、１４ｂが、６時側と１２時側との２箇所に各々形成されている。
【００２２】
また、図３に示すように、前記補助リングの６時側と１２時側の一対の円柱突部１６ａ、１６ｂの幅Ａは、前記時計用表示板１３の切欠１４ａ、１４ｂの幅Ｂと等しいか、或いは、僅かに大きく設定されいる。即ち、Ａ≧Ｂの関係を満たすように構成されている。
【００２３】
この結果、前記切欠１４ａ、１４ｂは、図２（ｂ）に示すように、円柱突部１６ａ、１６ｂを内側に弾性変形させられた状態で、円柱突部１６ａ、１６ｂに係合固定され、前記時計用表示板１３の横ずれや、回転を防止することができる。さらに、円柱突部１６ａ、１６ｂの幅Ａ、及び時計用表示板１３の切欠１４ａ、１４ｂの幅Ｂとの寸法のばらつきを吸収することが可能となり、係合固定力が安定する。
【００２４】
また、前記切欠１４ａ、１４ｂの平面形状の例を図４に示したが、図４（ａ）に示すように、前記切欠１４ａ、１４ｂの外側の両端に面取１７を設けるか、或いは、図４（ｂ）に示すように前記切欠１４ａ、１４ｂの内側から外側（矢印Ｃの方向）に向かって僅かに広がる斜面１９を設けることが好ましい。この場合、切欠１４ａ、１４ｂの小さい方の幅をＢとする。これは、前記補助リング１２の円柱突部１６ａ、１６ｂに前記時計用表示板１３の切欠１４ａ、１４ｂを各々係合固定させる作業を容易、かつ安定させる効果を有している。
【００２５】
さらに、図５（ａ）における切欠１４ａ、１４ｂのＤ−Ｄ断面形状の例を図５（ｂ）、図５（ｃ）に示したが、前記図５（ｂ）に示すように、切欠１４ａ、１４ｂの下面の両側に、面取１８を設けるか、或いは、図５（ｃ）に示すように前記切欠１４ａ、１４ｂの上面側から下面側（矢印Ｄの方向）に向かって僅かに広がる斜面２０を設けることが好ましい。この場合も切欠１４ａ、１４ｂの小さい方の幅をＢとする。これも同様に、前記補助リング１２の円柱突部１６ａ、１６ｂに前記時計用表示板１３の切欠１４ａ、１４ｂを各々係合固定させる作業を容易、かつ安定させる効果を有している。
【００２６】
また、前記補助リング１２の円柱突部１６ａ、１６ｂと、前記時計用表示板１３の切欠１４ａ、１４ｂとは１２時側と６時側に各々整合する位置に配置されている。
【００２７】
次に、本実施形態における時計用表示板１３の取り付け、取り外し方法について説明する。まず、前記補助リング１２の下面側からエレクトロルミネッセンス１１が配設されいるモジュール１０を挿入し、位置決めを行ないながら前記モジュール１０の外方に前記補助リング１２を配設し、前記補助リング１２に形成されている突起である４個のフック１５によって前記補助リング１２と前記モジュール１０とを係合固定する。この位置決めは、図示していないが、前記補助リング１２に設ける突出部と前記モジュール１０に設ける切欠部の位置を各々整合させれば良く、作業者が目視により極めて容易に、かつ間違いなく行えるものである。
【００２８】
次に、前記補助リング１２の上面１２ｂに前記時計用表示板１３を係合固定する。まず、前記時計用表示板１３を、前記補助リング１２の上面１２ｂに載置する。この位置決めは、前記上面外周部１２ａに形成されている６時側と１２時側との二組の一対から成る円柱突部１６ａ、１６ｂと前記時計用表示板１３に形成されている二つの切欠１４ａ、１４ｂとの位置を各々整合させれば良く、作業者が目視により極めて容易に、かつ間違いなく行えるものである。
【００２９】
次に、前記時計用表示板１３を下方に押圧して、前記二組の円柱突部１６ａ、１６ｂを内側（隙間Ｄの方向）に向かって弾性変形させながら、二つの時計用表示板１３の切欠１４ａ、１４ｂを前記二組の円柱突部１６ａ、１６ｂに各々軽圧入させることによって、簡単に、補助リング１２と時計用表示板１３とを係合固定することができる。固定された状態を図２（ｂ）に示す。
【００３０】
さらに、図４、図５に示したように、補助リング１２の切欠１４ａ、１４ｂに設ける斜面１９、２０、或いは面取１７、１８が、切欠１４ａ、１４ｂを前記円柱突部１６ａ、１６ｂに各々軽圧入させる時の案内となり、補助リング１２への時計用表示板１３の取り付け、取り外しが容易となり、かつ安定化する。
【００３１】
したがって、本実施形態における時計用表示板の固定構造によれば、切欠１４ａ、１４ｂが、円柱突部１６ａ、１６ｂに圧入された状態で固定されているため、係合された前記時計用表示板１３は、水平方向の外力が負荷されても、横にずれたり、回転したりしない。また、ピンセット等で前記時計用表示板１３の外縁を上方に押圧して、前記切欠１４ａ、１４ｂと前記円柱突部１６ａ、１６ｂとの係合を解除すれば、前記時計用表示板１３は、容易に前記補助リング１２より取り外すことができる。
【００３２】
さらに、本実施形態における固定構造によれば、円柱突部１６ａ、１６ｂの幅Ａと、時計用表示板１３の切欠１４ａ、１４ｂの幅Ｂとの寸法のばらつきが吸収され、補助リング１２と時計用表示板１３との位置決め、係合固定力が安定する。また、本実施形態における時計用表示板１３には、小さい突起部がないため、外部からの衝撃による変形を防止することができる。
【００３３】
（第２の実施形態）
次に、本発明の第２の実施形態を図面に基づいて説明する．図６は本発明の時計用表示板の固定構造を示し、図６（ａ）は、固定構造の平面図、図６（ｂ）は、図６のＥ−Ｅ断面における固定構造の一部を示す部分断面図である。
【００３４】
本実施形態における時計用表示板の固定構造は、図６に示すように、モジュール１０の上面にソーラーセル２１を配置したことと、時計用表示板２３の回転防止及び位置ずれ防止するために、時計用表示板２３に２組の切欠２４ａ、２４ｂ及び、補助リング２２に２組の一対からなる円柱突部２６ａ、２６ｂを３時側、９時側に各々設けたことが、第１の実施形態と相違しており、その他は、第１の実施形態と同様である。従って、第１の実施形態と同じ構成要素には、同じ番号、名称を使用し、説明は省略した。
【００３５】
前記モジュール１０の上面にはモジュール１０より、やや小さい周形状から成るソーラーセル２１が両面テープ等の両面が粘着性を有する部材で粘着され配設されている。
【００３６】
また、補助リング２２は、前記ソーラーセル２１と同調色であるダークグレーの色調からなるリング状の樹脂成形体である。そして、前記補助リング２２を前記モジュール１０の外方に配設し、前記補助リング２２に形成されている４個の突起であるフック１５によって前記補助リング２２と前記モジュール１０とを係合固定するように構成されている。
【００３７】
さらに、補助リング２２の上面２２ｂより、僅かに、低く下方に下がった位置に形成されている前記補助リング２２の上面外周部２２ａの上面には、時計用表示板２３を固定するための一対からなるピン状の円柱突部１６ａ、１６ｂが各々６時側と１２時側との２箇所に凸設されていて、さらに、時計用表示板２３の回転防止及び位置ずれ防止するための一対からなるピン状の円柱突部２６ａ、２６ｂが各々３時側と９時側との２箇所に凸設されている。前記一対の円柱突部１６ａ、１６ｂは、第１実施形態と同様であるため説明を省略する。また、前記一対の円柱突部２６ａ、２６ｂは、前記円柱突部１６ａ、１６ｂと同様に、互いの間に隙間を有し、樹脂成形体の弾性を利用して、内側に向かって弾性変形可能であるように、各部の寸法が設定されている。
【００３８】
一方、前記時計用表示板２３は、アクリル、ポリカーボネイト等よりなる薄板状の透明体からなり、目盛リ、ペットネーム、数字、模様等の仕様が印刷、塗装等により施されている。前記時計用表示板２３の外周部には、外方に向かって開口し、かつ前記時計用表示板２３の上面から下面に貫通された補助リング２２へ固定するための切欠１４ａ、１４ｂが、６時側と１２時側との２箇所に各々形成されていて、さらに、時計用表示板２３の回転防止及び位置ずれを防止するための切欠２４ａ、２４ｂが、３時側と９時側との２箇所に各々形成されている。
【００３９】
また、前記切欠２４ａ、２４ｂの平面、或いは、断面形状は、第１の実施形態で説明した切欠１４ａ、１４ｂと同様に、面取または斜面が形成されていることが好ましい。これについては、第１の実施形態と同様であるため、詳細な説明を省略する。
【００４０】
また、前記補助リング２２の固定用の円柱突部１６ａ、１６ｂと、前記時計用表示板２３の切欠１４ａ、１４ｂとは１２時側と６時側に各々整合する位置に配置され、同様に、回転防止及び位置ずれを防止用の円柱突部２６ａ、２６ｂと、前記時計用表示板２３の切欠２４ａ、２４ｂとは３時側と９時側に各々整合する位置に配置されている。
【００４１】
また、前記補助リング２２の３時側と９時側の一対の円柱突部２６ａ、２６ｂの幅は、前記時計用表示板２３の切欠２４ａ、２４ｂの幅と等しいか、或いは、僅かに大きく設定されいる。これについても、第１の実施形態で説明した前記円柱突部１６ａ、１６ｂの幅と前記切欠１４ａ、１４ｂの幅との関係と同様であるため、説明を省略する。
【００４２】
また、本実施形態における時計用表示板２３の取り付け、取り外し方法については、第１の実施形態と同様であるため説明を省略する。
以上のように、本実施形態によれば、第１の実施形態と同様の効果が得られると共に、回転防止及び位置ずれを防止用の円柱突部２６ａ、２６ｂと、切欠２４ａ、２４ｂとを設けることにより、前記時計用表示板２３の横にずれや、回転を防止をより確実にすることが出来る。
【００４３】
なお、上記実施形態において、回転防止及び位置ずれを防止するための円柱突部２６ａ、２６ｂと、前記時計用表示板２３の切欠２４ａ、２４ｂとについて、３時側と９時側の２ヶ所に設ける例で説明したが、対称な位置に設けるのではなく、少しずらして設けることもできる。
【００４４】
また、上記実施形態において、モジュール１０に固定するため、補助リングの下方に突起であるフック１５を設けたが、補助リングの下方の内壁に突起を設け、この突起をモジュール１０の側壁に圧接して固定する方法としても良い。
【００４５】
【発明の効果】
以上述べたように本発明による時計用表示板の固定構造によれば、補助リング、及び時計用表示板の互いの寸法誤差を容易に吸収できるので、時計用表示板を補助リングに確実に固定することができる。また、誰でも簡単な作業にて時計用表示板の位置決めが出来、補助リングと時計用表示板の取り付け、取り外し作業が容易となり、作業性が向上する。さらに、時計用表示板の小さい突起部を無くすことにより衝撃による時計用表示板の変形を防止し、併せて、補助リング、時計用表示板の加工を容易とすることができる。また、固定用の円柱突部に加えて、回転防止及び位置ずれを防止するための円柱突部を有するため、時計用表示板の横ずれ、回転ずれを確実に防止することができる。
【図面の簡単な説明】
【図１】本発明の第１の実施形態における時計用表示板の固定構造を示す図である。
【図２】本発明の第１の実施形態における時計用表示板の係合固定部の部分拡大図である。
【図３】本発明の第１の実施形態における円柱突起と切欠の関係を示す図である。
【図４】本発明の第１の実施形態における時計用表示板の切欠を示す部分拡大図である。
【図５】本発明の第１の実施形態における時計用表示板の切欠を示す部分拡大図である。
【図６】本発明の第２の実施形態における時計用表示板の固定構造を示す図である。
【図７】従来技術における時計用表示板の固定構造を示す図である。
【符号の説明】
１０  モジュール
１１  エレクトロルミネッセンス
１２、２２  補助リング
１２ａ、２２ａ  上面外周部
１２ｂ、２２ｂ  上面
１３、２３  時計用表示板
１４ａ、１４ｂ  固定するための切欠
１５  フック
１６ａ、１６ｂ  固定するための円柱突起
１７  面取
１８  面取
１９  斜面
２０  斜面
２１  ソーラーセル
２４ａ、２４ｂ  回転防止及び位置ずれ防止のための切欠
２６ａ、２６ｂ  回転防止及び位置ずれ防止のための円柱突起
【図１】
0004398555.tif 000002
【図２】
0004398555.tif 000003
【図３】
0004398555.tif 000004
【図４】
0004398555.tif 000005
【図５】
0004398555.tif 000006
【図６】
0004398555.tif 000007
【図７】
0004398555.tif 000008